(57)【要約】【課題】  同一番組のチャンネルを複数回選局してユーザーに提示することがなく、非常に使い勝手がよいデジタル放送受信機のチャンネル選局方法を提供する。【解決手段】  ステップＳ３で、ＮＩＴ上に指定のチャンネル番号があるかどうか判定する。存在していれば（Ｙ）、ステップＳ４でＥＩＴ内の番組データに基づいて、これから選局しようとするチャンネルが、これまで選局していたチャンネルと同一コンポーネントであるかどうかを判定する。同一コンポーネントであれば（Ｙ）、ステップＳ２へ戻る。同一コンポーネントでなければ（Ｎ）、ステップＳ５で指定チャンネルのあるトランスポンダを選択し、ステップＳ６でＰＡＴを受信し、ステップＳ７でＰＭＴを受信して映像及び音声パケットを抽出し、選局処理を完了する。【選択図】      図１
2005218131.tif 000002
【特許請求の範囲】
【請求項１】
映像情報及び付加情報が送信されるデジタル放送を受信するデジタル放送受信機のチャンネル選局方法において、
チャンネルの順次選局に際し、
現在のチャンネルのチャンネル番号に対して次に選局するチャンネルのチャンネル番号を設定する第１のステップと、
前記次に選局するチャンネルのチャンネル番号が前記付加情報に含まれるＮＩＴ（Network Information Table）に存在しているか否かを判定する第２のステップと、
前記第２のステップにて前記次に選局するチャンネルのチャンネル番号が存在していると判定されたとき、前記付加情報に含まれるＥＩＴ（Event Information Table）内の番組データに基づいて、前記次に選局するチャンネルのコンポーネントが前記現在のチャンネルのコンポーネントと同一であるか否かを判定する第３のステップとを設けることにより、
同時刻に同一トランスポートストリーム内における複数のチャンネルで同一のコンポーネントが送信されている場合に、前記複数のチャンネルを１つのチャンネルとして扱ってチャンネル選局を行うことを特徴とするデジタル放送受信機のチャンネル選局方法。
【発明の詳細な説明】
【技術分野】
【０００１】
本発明は、デジタル放送信機のチャンネル選局方法に係り、特にチャンネル順次選局時に使いよいデジタル放送信機のチャンネル選局方法に関する。
【背景技術】
【０００２】
デジタル放送では、映像，音声及び付加データがパケット化されたストリームで時分割多重されて送信される。映像，音声及び付加データは、ＴＳパケットと呼ばれる決まった大きさのまとまり（１８８バイト）に小さく分割され、時分割多重されて送信される。各ＴＳパケットには、ＰＩＤ（Packet ID）と呼ばれる識別番号が付けられている。同種類のデータには、同一のＰＩＤが割り当てられており、勿論同一の映像や同一の音声に対しては、同一のＰＩＤが割り当てられている。
【０００３】
付加データの中で、受信機のチャンネル選局に関係するものとしては、ＮＩＴ、ＰＭＴ、ＰＡＴ及びＥＩＴ等がある。ＮＩＴは、Network Information Tableの略であり、ネットワーク内で放送される全チャンネルのリスト及びその情報を示すデータである。ＰＭＴは、Program Map Tableの略であり、現在放送中のチャンネルの情報データである。ＰＡＴは、Program Association Tableの略であり、ＰＭＴのＰＩＤ情報を示すデータである。ＥＩＴは、Event Information Table の略であり、現在及び未来の番組に対する番組毎の情報データである。
【０００４】
デジタル放送受信機は、電源オンになると、まずＮＩＴを受信して、ネットワーク内で放送されている全チャンネルのリスト及び情報を示すデータを取得し、さらにＰＡＴを受信して、ユーザーが選択したチャンネルに対するＰＭＴを探し、チャンネルの情報を取得する。
ユーザーは、順次選局機能を利用して、現在放送している番組内容を知ったり、選局したりすることができる。順次選局機能とは、現在放送しているチャンネルを、自動的に順番に短時間ずつ選局、表示していく機能である。ユーザーは、希望のチャンネルが表示された時に、リモコン送信器等での操作入力をすれば、希望チャンネルを選局して、継続的に視聴し続けることが可能である。
【０００５】
図３は従来の順次選局方法を説明するためのフローチャートである。図３において、プログラムがスタートすると（ステップＳ１）、現在のチャンネル番号（電源オン時は、０からスタート）に、１を加えたチャンネル番号を設定する（ステップＳ２）。次に、ＮＩＴ上に指定のチャンネル番号があるかどうか判定する（ステップＳ３）。存在しなければ（Ｎ：Ｎｏ）、ステップＳ２へ戻る。存在していれば（Ｙ：Ｙｅｓ）、指定チャンネルのあるトランスポンダを選択する（ステップＳ５）。そして、ＰＡＴを受信して、選局しようとするチャンネルに対するＰＭＴのＰＩＤを取得する（ステップＳ６）。次に、ＰＭＴを受信しチャンネル情報を取得し、映像及び音声パケットを抽出する指示をトランスポートデコーダへ行うことにより（ステップＳ７）、選局処理を完了する。
【０００６】
【特許文献１】特開平１１−２７５４７６号公報
【発明の開示】
【発明が解決しようとする課題】
【０００７】
さて、２０００年１２月に、日本で放送開始予定のＢＳデジタル放送においては、１つのトランスポートストリーム内において、時分割方式でＳＤＴＶ（標準ＴＶ放送）３チャンネル、またはＨＤＴＶ（ハイビジョンＴＶ放送）１チャンネルが混在した運用が予定されている。通常、ＳＤＴＶ３チャンネルは、各々異なるチャンネル番号を有しており、各チャンネルは独立関係にある。この独立した各チャンネルで１つのＨＤＴＶコンポーネント群を構成する運用が行われた場合には、ＨＤＴＶ放送中に、チャンネル順次選局操作を行うと、同一内容のチャンネルを複数回選局し、ユーザーに提示してしまうこととなり、非常に使い勝手が悪いという問題点があった。
【０００８】
本発明は、前記課題を解決するためになされたものであり、同一トランスポートストリーム内において、同時刻に複数のチャンネル番号で同一のコンポーネント群が送信されている場合にも、同一イベントのチャンネルを複数回選局してユーザーに提示することがなく、非常に使い勝手がよいデジタル放送受信機のチャンネル選局方法を提供することを目的とする。
【課題を解決するための手段】
【０００９】
本発明は、上述した従来の技術の課題を解決するため、映像情報及び付加情報が送信されるデジタル放送を受信するデジタル放送受信機のチャンネル選局方法において、チャンネルの順次選局に際し、現在のチャンネルのチャンネル番号に対して次に選局するチャンネルのチャンネル番号を設定する第１のステップ（Ｓ２）と、前記次に選局するチャンネルのチャンネル番号が前記付加情報に含まれるＮＩＴ（Network Information Table）に存在しているか否かを判定する第２のステップ（Ｓ３）と、前記第２のステップにて前記次に選局するチャンネルのチャンネル番号が存在していると判定されたとき、前記付加情報に含まれるＥＩＴ（Event Information Table）内の番組データに基づいて、前記次に選局するチャンネルのコンポーネントが前記現在のチャンネルのコンポーネントと同一であるか否かを判定する第３のステップ（Ｓ４）とを設けることにより、同時刻に同一トランスポートストリーム内における複数のチャンネルで同一のコンポーネントが送信されている場合に、前記複数のチャンネルを１つのチャンネルとして扱ってチャンネル選局を行うことを特徴とするデジタル放送受信機のチャンネル選局方法を提供するものである。
【発明の効果】
【００１０】
本発明によれば、同時刻に同一トランスポートストリーム内における複数のチャンネルで同一のコンポーネント群が送信されている場合に、同一のコンポーネント群（同一イベント）のチャンネルを複数回選局してユーザーに提示することがなく、使い勝手を大幅に向上させることができる。
【発明を実施するための最良の形態】
【００１１】
図２はデジタル放送受信機の構成例を示すブロック図である。図２において、伝送されてくるデジタル放送波は、アンテナ１から入来し、デジタル放送受信機９内のチューナ２へ供給されている。チューナ２は、システムコントローラ７からの制御により、受信トランスポンダの切り換え、受信した信号の復調,誤り訂正を行い、トランスポートストリームをトランスポートデコーダ３へ供給している。
【００１２】
トランスポートデコーダ３は、システムコントローラ７からの制御により、このトランスポートストリーム中から必要な映像及び音声のパケットを抽出してＡＶデコーダ４へ供給すると共に、番組情報やチャンネル情報等の付加情報のパケットも抽出してシステムコントローラ７へ供給している。ＡＶデコーダ４は、映像及び音声のパケットをデコードし、映像出力信号及び音声出力信号を得て、モニタ５へ供給し、映像及び音声を再生している。
【００１３】
また、操作入力部６は、受信機本体や付属のリモコン送信器のキー等で構成され、ユーザーの操作指示入力をシステムコントローラ７へ伝達している。システムコントローラ７は、ユーザーの操作指示入力の内容を解釈し、例えば番組表のキーが押された場合には、番組情報を表示制御部８へ供給している。表示制御部８は、番組情報等を基に番組表等の表示用イメージデータを作成し、ＡＶデコーダ４へ供給し、映像出力信号に重畳してモニタ５に表示させる。
【００１４】
図１は本発明の順次選局方法を説明するためのフローチャートである。図１において、プログラムがスタートすると（ステップＳ１）、現在のチャンネル番号（電源オン時は、０からスタート）に、１を加えたチャンネル番号を設定する（ステップＳ２）。次に、ＮＩＴ上に指定のチャンネル番号があるかどうか判定する（ステップＳ３）。存在しなければ（Ｎ：Ｎｏ）、ステップＳ２へ戻る。
【００１５】
存在していれば（Ｙ：Ｙｅｓ）、ＥＩＴ内の番組データに基づいて、これから選局しようとするチャンネルが、これまで選局していたチャンネルと同一コンポーネント（同一イベント）であるかどうかを判定する（ステップＳ４）。同一コンポーネントであれば（Ｙ）、ステップＳ２へ戻る。同一コンポーネントでなければ（Ｎ）、指定チャンネルのあるトランスポンダを選択する（ステップＳ５）。そして、ＰＡＴを受信して、選局しようとするチャンネルに対するＰＭＴのＰＩＤを取得する（ステップＳ６）。次に、ＰＭＴを受信しチャンネル情報を取得し、映像及び音声パケットを抽出する指示をトランスポートデコーダ３へ行うことにより（ステップＳ７）、選局処理を完了する。
【００１６】
以上で説明した選局動作により、同一トランスポートストリーム内において、同時刻に複数のチャンネル番号で同一のコンポーネント群が送信されている場合には、前記複数のチャンネルを１個のチャンネルとして、チャンネル順次選局時の選局及び表示を行うので、同一チャンネルを複数回選局してユーザーに提示するという不具合がない。
【図面の簡単な説明】
【００１７】
【図１】本発明の順次選局方法を説明するためのフローチャートである。
【図２】デジタル放送受信機の構成例を示すブロック図である。
【図３】従来の順次選局方法を説明するためのフローチャートである。
【符号の説明】
【００１８】
１  アンテナ
２  チューナ
３  トランスポートデコーダ
４  ＡＶデコーダ
５  モニタ
６  操作入力部
７  システムコントローラ
８  表示制御部
９  デジタル放送受信機
【図１】
2005218131.tif 000003
【図２】
2005218131.tif 000004
【図３】
2005218131.tif 000005